(57)【要約】      （修正有）【課題】ユーザがＩＣタグ装置の状態を簡単に変化させることができるＩＣタグ装置を提供する。【解決手段】ＩＣチップ１００を備えたＩＣタグ装置１であって、上記ＩＣチップから、ユーザが断線させるための断線用領域５０Ａ〜５０Ｄを通って延伸する１つ以上の導線パターン９０が形成されている。導線パターンには、当該ＩＣタグ装置の特定の状態が予め対応付けられており、断線用領域上で導線パターンが非導通状態となることによって、該断線用領域を通る導線パターンが断線した場合、当該ＩＣタグ装置は、断線した導線パターンに対応する１つの状態になる。【選択図】図１
2018197994.tif 000002
【特許請求の範囲】
【請求項１】
ＩＣチップを備えたＩＣタグ装置であって、
上記ＩＣチップから、ユーザが断線させるための断線用領域を通って延伸する１つ以上の導線パターンが形成されており、
上記導線パターンには、当該ＩＣタグ装置の特定の状態が予め対応付けられており、
上記断線用領域上で上記導線パターンが非導通状態となることによって、該断線用領域を通る上記導線パターンが断線した場合、当該ＩＣタグ装置は、断線した導線パターンに対応する１つの状態になる
ことを特徴とするＩＣタグ装置。
【請求項２】
上記導線パターンが断線した場合、
当該ＩＣタグ装置は、当該ＩＣタグ装置からのデータの読み取りを許可する有効状態、または、当該ＩＣタグ装置からのデータの読み取りを許可しない無効状態になることを特徴とする請求項１に記載のＩＣタグ装置。
【請求項３】
上記導線パターンが複数あり、
複数の上記導線パターンのうちの１つが断線した場合、
どの導線パターンが断線しているかに応じて、当該ＩＣタグ装置は、異なる状態になることを特徴とする請求項１に記載のＩＣタグ装置。
【請求項４】
上記断線用領域が除去されることによって、上記導線パターンは断線することを特徴とする請求項１〜３のいずれか１項に記載のＩＣタグ装置。
【請求項５】
上記導線パターンの少なくとも一部は、導電性インクで形成されており、上記導電性インクが上記断線用領域内で削られることによって、上記導線パターンは断線することを特徴とする請求項１〜４のいずれか１項に記載のＩＣタグ装置。
【請求項６】
当該ＩＣタグ装置は、上記導線パターンに入力する断線監視用信号の変化に基づいて、上記導線パターンが断線していないかを監視することを特徴とする請求項１〜５のいずれか１項に記載のＩＣタグ装置。
【請求項７】
データの送受信用のアンテナを備えており、
上記断線用領域は、上記アンテナが設けられている領域を除いた位置に設けられていることを特徴とする請求項１〜６のいずれか１項に記載のＩＣタグ装置。
【発明の詳細な説明】
【技術分野】
【０００１】
本発明は、ＲＦＩＤ（Radio Frequency-Identification）回路を内蔵したＩＣ（Integrated Circuits）タグ装置に関し、例えば、カード状またはバンド状の非接触型ＩＣタグ装置に関する。
【背景技術】
【０００２】
近年、ＲＦＩＤ回路を内蔵した非接触型ＩＣタグ装置（以下では、ＩＣタグ装置と表記する）が開発されている（例えば、特許文献１）。ＩＣタグ装置は、例えば、キャッシュカード、あるいは、定期券または入場券などの各種チケットとして使用されている。ＩＣタグ装置のＩＣチップは、送受信用の各アンテナ、プロセッサ、および、読み書き可能なメモリを備えている。ＩＣチップのメモリには、例えば、乗車区間および有効期限を示すデータが格納されている。ＩＣチップのプロセッサは、送信用アンテナを介して、読み出し器（例えば自動改札装置）へ、メモリに格納されているデータを送信する。
【先行技術文献】
【特許文献】
【０００３】
【特許文献１】特開２００４−２９５４０１号公報（２００４年１０月２１日公開）
【発明の概要】
【発明が解決しようとする課題】
【０００４】
ＩＣタグ装置は、ユーザが使用を開始する場合、メモリに格納されているデータを読み出し器が読み出すことを許可する状態にされる（アクティべーション；有効化）。また、ＩＣタグ装置は、ユーザが使用を停止する場合、読み出し器によるデータの読み出しを許可しない状態にされる（ディスアクティベーション；無効化）。
【０００５】
しかしながら、ＩＣタグ装置の状態を変更するためには、ＩＣタグ装置のメモリに格納されたデータを書き換える必要がある。そのためには、専用の設備が必要であり、また、オペレータによる操作も必要とする。このことは、ＩＣタグ装置の管理コストを増大させるため、ＩＣタグ装置をユーザに安価で提供することを阻害する一要因になっている。
【０００６】
本発明の一態様は、ユーザがＩＣタグ装置の状態を簡単に変化させることを可能にする。
【課題を解決するための手段】
【０００７】
上記の課題を解決するために、本発明の一態様に係るＩＣタグ装置は、ＩＣチップを備えたＩＣタグ装置であって、上記ＩＣチップから、ユーザが断線させるための断線用領域を通って延伸する１つ以上の導線パターンが形成されており、上記導線パターンには、当該ＩＣタグ装置の特定の状態が予め対応付けられており、上記断線用領域上で上記導線パターンが非導通状態となることによって、該断線用領域を通る上記導線パターンが断線した場合、当該ＩＣタグ装置は、断線した導線パターンに対応する１つの状態になる。
【発明の効果】
【０００８】
本発明の一態様によれば、ユーザがＩＣタグ装置の状態を簡単に変化させることができる。
【図面の簡単な説明】
【０００９】
【図１】（ａ）は、実施形態１に係るＩＣタグ装置の概略図であり、（ｂ）は、（ａ）に示すＩＣタグ装置の要部拡大図であり、（ｃ）は、端部を折り取られたＩＣタグ装置を示す。
【図２】実施形態１に係るＩＣタグ装置の構成を示すブロック図である。
【図３】ＩＣタグ装置のＩＣチップが備えたプロセッサが実行する一処理のフローチャートである。
【図４】ＩＣタグ装置のＩＣチップが備えたプロセッサが実行する他の処理のフローチャートである。
【図５】ＩＣタグ装置のＩＣチップが備えたプロセッサが実行する他の処理のフローチャートである。
【図６】実施形態２に係るＩＣタグ装置の概略図である。
【図７】実施形態３に係るＩＣタグ装置の概略図である。
【図８】実施形態４に係るＩＣタグ装置の概略図である。
【図９】実施形態５に係るＩＣタグ装置の概略図および要部拡大図である。
【発明を実施するための形態】
【００１０】
〔実施形態１〕
以下、本発明の一実施形態について、図１〜図５を用いて説明する。
【００１１】
（ＩＣタグ装置１の構成）
図１の（ａ）〜（ｃ）および図２を用いて、実施形態１に係るＩＣタグ装置１（ＩＣタグ装置）の構成を説明する。ＩＣタグ装置１は、ＲＦＩＤ回路を内蔵した非接触型ＩＣタグ装置である。図１の（ａ）は、ＩＣタグ装置１の概略図である。図１の（ｂ）および図１の（ｃ）は、図１の（ａ）に示すＩＣタグ装置１の要部拡大図である。図２は、ＩＣタグ装置１の構成を示すブロック図である。
【００１２】
図１の（ａ）に示すように、ＩＣタグ装置１は、送信アンテナパターンＴＸ（アンテナ）、受信アンテナパターンＲＸ（アンテナ）、導線パターン９０、ＩＣチップ１００を備えている。本実施形態１では、ＩＣタグ装置１は、カード状を有している。すなわち、ＩＣタグ装置１は、矩形で厚みが薄い。しかしながら、ＩＣタグ装置１の形状は特に限定されない。一変形例では、ＩＣタグ装置１は、バンド状であってもよい。本変形例では、ユーザは、ＩＣタグ装置１を、ユーザの腕等に装着することができる。
【００１３】
送信アンテナパターンＴＸおよび受信アンテナパターンＲＸは、ＩＣタグ装置１の基板上に、導電性材料で形成されている。送信アンテナパターンＴＸは、発振することによって、電波（無線信号）を送信する。
【００１４】
図２に示すように、ＩＣチップ１００は、ＲＡＭ（Random Access Memory）１０、ＲＯＭ（Read Only Memory）２０、プロセッサ３０、送信ＲＦ部４０、受信ＲＦ部６０（電源回路を含む）、および入力インターフェイス８０を備えている。
【００１５】
ＲＡＭ１０およびＲＯＭ２０は、ＩＣタグ装置１の種別に応じた各種データを記憶している。例えば、ＩＣタグ装置１が定期券である場合、ＲＡＭ１０およびＲＯＭ２０は、ユーザの名前および電話番号等のユーザ情報に加えて、乗車区間および有効期限を示すデータを記憶している。ＲＡＭ１０およびＲＯＭ２０を、以下ではメモリと呼ぶ。
【００１６】
プロセッサ３０は、ＩＣチップ１００の各部を統合的に制御する。例えば、ＩＣタグ装置１が、読み出し器との間で無線通信を行う際に、プロセッサ３０は、メモリに格納されているデータの送受信を制御する。
【００１７】
送信ＲＦ部４０は、無線周波（ＲＦ）信号を発生させて、発生させたＲＦ信号によって、送信アンテナパターンＴＸを発信させる。受信ＲＦ部６０は、受信アンテナパターンＲＸが受信したＲＦ信号を取得する。
【００１８】
図１の（ｂ）に示すように、ＩＣタグ装置１の４つの端部領域５０Ａ〜５０Ｄ（断線用領域）は、それぞれ、ユーザが力を加えることによって、簡単に折れる構造を有している。具体的には、ＩＣタグ装置１の端部領域５０Ａ〜５０Ｄの角に対して対称な２か所には、それぞれ凹部１５０ａが設けられている。また、端部領域５０Ａ〜５０Ｄには、波状の構造物１５０ｂが設けられている。
【００１９】
図１の（ｂ）に矢印で示すように、ユーザは、ＩＣタグ装置１の端部領域５０Ａ〜５０Ｄを、ＩＣタグ装置１の裏面に向かって曲げる。このとき、２つの凹部１５０ａを通る二点破線で示す位置に応力が印加される。すると、ＩＣタグ装置１の端部領域５０Ａ〜５０Ｄが、波状の構造物１５０ｂに沿って折れる。
【００２０】
図１の（ｃ）に示すように、ＩＣタグ装置１の端部領域５０Ａ〜５０Ｄが、波状の構造物１５０ｂに沿って折れた場合、端部領域５０Ａ〜５０Ｄに含まれる導線パターン９０の一部が除去される。その結果、導線パターン９０が、ポート８０Ａ〜８０ＤのいずれかとグラウンドＧＮＤとの間で断線する。なお、ＩＣタグ装置１が紙で形成されている場合、ユーザは、端部領域５０Ａ〜５０Ｄを手で千切ることができる。あるいは、ユーザは、ハサミまたはカッター等の道具を使用して、端部領域５０Ａ〜５０Ｄを切り取ることもできる。断線した導線パターン９０は、ユーザの手では復元することはできない。すなわち、導線パターン９０が断線していない状態から断線した状態への変化は不可逆である。また、導線パターン９０は、インピーダンス性の高い素材で形成されているため、静電気等によって、断線部分から破壊されることがない。
【００２１】
図１の（ａ）に示すように、導線パターン９０は、入力インターフェイス８０の４つのポート８０Ａ〜８０Ｄと接続している。ポート８０Ａ〜８０Ｄは、ＧＰＩＯ（General Purpose Input Output）ポートであり、いずれも内部プルアップされている。
【００２２】
導線パターン９０には、常時、断線監視用信号が入力されている。入力インターフェイス８０は、各ポート８０Ａ〜８０Ｄにおける断線監視用信号の電圧を検出する電圧検出装置（図示せず）を備えている。導線パターン９０が断線した場合、断線監視用信号の電圧が変化する。プロセッサ３０は、電圧検出装置が検出する電圧の変化を監視する。そして、電圧検出装置が検出する電圧が閾値以上になった場合、プロセッサ３０は、導線パターン９０が断線したと判定する。
【００２３】
以下では、ポート８０Ａ〜８０Ｄにおいて、電圧検出装置が検出する電圧が閾値未満である場合、そのポート８０Ａ〜８０ＤがＯＦＦであるという。また、ポート８０Ａ〜８０Ｄにおいて、電圧検出装置が検出する電圧が閾値以上である場合、そのポート８０Ａ〜８０ＤがＯＮであるという。ポート８０Ａ〜８０ＤがＯＦＦである場合、プロセッサ３０は、導線パターン９０が断線していないと判定する。一方、ポート８０Ａ〜８０ＤがＯＮである場合、プロセッサ３０は、導線パターン９０が断線していると判定する。
【００２４】
本実施形態１の構成によれば、ユーザは、ＩＣタグ装置１の端部領域５０Ａ〜５０Ｄを折り取ることによって、対応するポート８０Ａ〜８０Ｄを、ＯＦＦからＯＮに、簡単に切り替えることができる。
【００２５】
各ポート８０Ａ〜８０Ｄは、ＩＣタグ装置１の異なる状態と対応している。より詳細には、ポート８０Ａ〜８０ＤのＯＮ／ＯＦＦと、ＩＣタグ装置１の状態との対応関係を示すデータテーブルが、ＩＣタグ装置１のＲＯＭ２０に予め登録されている。ポート８０Ａ〜８０ＤのＯＮ／ＯＦＦが切り替わった場合、プロセッサ３０は、上記データテーブルに記載された対応関係に基づいて、ＩＣタグ装置１の状態を変化させる。ポート８０Ａ〜８０ＤのＯＮ／ＯＦＦの切り替えに基づくＩＣタグ装置１の状態の変化の具体例を後述する（“１−１”“１−２”“２”および“３”参照）。
【００２６】
端部領域５０Ａ〜５０Ｄには、それぞれ、異なる番号または色などの標識が施されていてもよい。これにより、ユーザは、端部領域５０Ａ〜５０Ｄの各々を、見るだけで区別することができる。また、端部領域５０Ａ〜５０Ｄには、対応するポート８０Ａ〜８０ＤがＩＣタグ装置１のどのような状態と対応しているのかを示す情報が記載されていてもよい。
【００２７】
（１−１；ＩＣタグ装置１の有効化（アクティべーション））
ＩＣタグ装置１は、初期状態では無効である。すなわち、データの読み取り器は、初期状態のＩＣタグ装置１のメモリ（ＲＡＭ１０およびＲＯＭ２０）から、データを読み取ることはできない。ＩＣタグ装置１は、有効化（アクティベーション）されることによって、読み取り器との間で、データの送受信をすることが可能になる。図１の（ａ）に示すポート８０Ａ〜８０Ｄのいずれかは、ＩＣタグ装置１のアクティベーションと対応している。ＩＣタグ装置１のアクティベーションと対応している１つのポート８０Ａ〜８０Ｄを、以下では有効化ポート８０と呼ぶ。ユーザは、有効化ポート８０と対応する１つの端部領域５０Ａ〜５０Ｄを折ることによって、有効化ポート８０を簡単にＯＮすることができる。
【００２８】
図３は、ＩＣチップ１００のプロセッサ３０が実行する一処理のフローチャートである。本フローでは、プロセッサ３０が、有効化ポート８０のＯＮ／ＯＦＦ情報に基づいて、メモリに格納されているデータを読み取り器に送信することを許可するか許可しないかを決定する。
【００２９】
図３に示すように、受信ＲＦ部６０は、まず、受信アンテナパターンＲＸを介して、データの読み取り器から、キャリア信号を受信する（Ｓ１）。受信ＲＦ部６０は、キャリア信号を受信したことを、プロセッサ３０に通知する。
【００３０】
プロセッサ３０は、キャリア信号を受信したことを、受信ＲＦ部６０から通知された後、有効化ポート８０がＯＮ／ＯＦＦのどちらの状態であるかを確認する（Ｓ２）。そして、プロセッサ３０は、ＲＯＭ２０に記憶された前述のデータテーブルを参照して、有効化ポート８０のＯＮ／ＯＦＦに対応するＩＣタグ装置１の状態を特定する。ここで、有効化ポート８０に対応する１つの端部領域５０Ａ〜５０Ｄが折られている場合、有効化ポート８０はＯＮの状態である。一方、有効化ポート８０に対応する１つの端部領域５０Ａ〜５０Ｄが折られていない場合、有効化ポート８０はＯＦＦの状態である。
【００３１】
有効化ポートがＯＮである場合（Ｓ３でＹＥＳ）、プロセッサ３０は、読み出し器がメモリに格納されているデータを読み出し器に送信することを、送信ＲＦ部４０に許可する。この場合、送信ＲＦ部４０は、送信アンテナパターンＴＸを介して、メモリに格納されているデータを、読み取り器に送信する（Ｓ４）。
【００３２】
一方、有効化ポートがＯＦＦである場合（Ｓ３でＮＯ）、プロセッサ３０は、読み出し器がメモリに格納されているデータを読み出し器に送信することを、送信ＲＦ部４０に許可しない（Ｓ５）。ただし、Ｓ１において、ＩＣタグ装置１が、書き込み器から、制御信号として、メンテナンス信号を受信した場合、有効化ポート８０がＯＦＦであっても、プロセッサ３０は、データを送信することを送信ＲＦ部４０に許可する構成としてもよい。この構成については後述する。
【００３３】
上記の構成によれば、ユーザが、有効化ポート８０に対応する１つの端部領域５０Ａ〜５０Ｄを折り取らない限り、ＩＣタグ装置１はアクティベートされず、プロセッサ３０は、読み出し器がメモリに格納されているデータを読み取ることを許可しない。そのため、ユーザが望まないにもかかわらず、ＩＣタグ装置１のメモリのデータが読み取り器に送信されることを防止することができる。さらに、ユーザは、有効化ポート８０に対応する１つの端部領域５０Ａ〜５０Ｄが折れているか否かを目で見るだけで、ＩＣタグ装置１がアクティベートされているか否かを簡単に確認することができる。
【００３４】
（１−２；メンテナンス信号を受信した場合）
図４は、ＩＣチップ１００のプロセッサ３０が実行する他の処理のフローチャートである。本フローは、図３に示すフローの変形例である。本フローは、ＩＣタグ装置１が、書き込み器から、制御信号として、メンテナンス信号を受信した場合、有効化ポート８０がＯＦＦであっても、つまり、ＩＣタグ装置１がアクティベートされていなくても、読み取り器（ここでは、メンテナンス装置と呼ぶ）にデータを送信することを、プロセッサ３０が送信ＲＦ部４０に許可する構成に関する。
【００３５】
図４に示すように、受信ＲＦ部６０は、まず、受信アンテナパターンＲＸを介して、メンテナンス装置から、キャリア信号を受信する（Ｓ２０１）。受信ＲＦ部６０は、キャリア信号を受信したことを、プロセッサ３０に通知する。
【００３６】
プロセッサ３０は、キャリア信号を受信したことを、受信ＲＦ部６０から通知された後、キャリア信号はメンテナンス信号であるかどうかを判定する（Ｓ２０２）。より詳細には、プロセッサ３０は、キャリア信号は、制御信号として、メンテナンス信号であることを示す情報を含んでいるかどうかを判定する。
【００３７】
キャリア信号がメンテナンス信号である場合（Ｓ２０２でＹＥＳ）、プロセッサ３０は、メモリに格納されているデータをメンテナンス装置に送信することを、送信ＲＦ部４０に許可する。この場合、送信ＲＦ部４０は、送信アンテナパターンＴＸを介して、メモリに格納されているデータを、メンテナンス装置に送信する（Ｓ２０３）。
【００３８】
その後、メンテナンス装置は、メモリに格納されているデータを更新するためのデータを含むキャリア信号を、ＩＣタグ装置１に送信する。受信ＲＦ部６０は、受信アンテナパターンＲＸを介して、メンテナンス装置から、更新データを含むキャリア信号を受信する。プロセッサ３０は、メンテナンス装置から受信したキャリア信号に含まれる更新データに基づいて、メモリに格納されているデータを書き換える（Ｓ２０４）。
【００３９】
一方、キャリア信号がメンテナンス信号でない場合（Ｓ２０２でＮＯ）、図４に示すフローはＳ２０５に進む。図４に示すフローのＳ２０５〜Ｓ２０８は、図３に示すフローのＳ２〜Ｓ５に対応する。そのため、Ｓ２０５〜Ｓ２０８に関する説明は省略する。
【００４０】
（２；無効化（ディスアクティベーション））
ＩＣタグ装置１は、無効化（ディスアクティベーション）されることによって、読み取り器によるデータの読み取りを許可しない（あるいは、読み取り器に反応しない）状態になる構成としてもよい。図１の（ａ）に示すポート８０Ａ〜８０Ｄのいずれかが、ＩＣタグ装置１のディスアクティベーションと対応している。ＩＣタグ装置１のディスアクティベーションと対応している１つのポート８０Ａ〜８０Ｄを、以下では無効化ポート８０と呼ぶ。ユーザは、使用済みのＩＣタグ装置１を廃棄する際、無効化ポート８０と対応する１つの端部領域５０Ａ〜５０Ｄを折る。これにより、無効化ポート８０を簡単にＯＮすることができる。
【００４１】
図５は、ＩＣチップ１００のプロセッサ３０が実行する他の処理のフローチャートである。本フローでは、プロセッサ３０が、無効化ポート８０のＯＮ／ＯＦＦ情報に基づいて、メモリに格納されているデータを読み取り器に送信することを許可するか許可しないかを決定する。
【００４２】
図５に示すように、受信ＲＦ部６０は、まず、受信アンテナパターンＲＸを介して、データの読み取り器から、キャリア信号を受信する（Ｓ３０１）。受信ＲＦ部６０は、キャリア信号を受信したことを、プロセッサ３０に通知する。
【００４３】
プロセッサ３０は、キャリア信号を受信したことを、受信ＲＦ部６０から通知された後、無効化ポート８０がＯＮ／ＯＦＦのどちらの状態であるかを確認する（Ｓ３０２）。ここで、無効化ポート８０に対応する１つの端部領域５０Ａ〜５０Ｄが折られている場合、無効化ポート８０はＯＮの状態である。一方、無効化ポート８０に対応する１つの端部領域５０Ａ〜５０Ｄが折られていない場合、無効化ポート８０はＯＦＦの状態である。
【００４４】
無効化ポートがＯＮである場合（Ｓ３０３でＹＥＳ）、プロセッサ３０は、読み出し器がメモリに格納されているデータを読み出し器に送信することを、送信ＲＦ部４０に許可しない（Ｓ３０４）。あるいは、この場合、プロセッサ３０は、ＩＣタグ装置１のメモリに格納されているデータを消去してもよい。
【００４５】
一方、無効化ポートがＯＦＦである場合（Ｓ３０３でＮＯ）、プロセッサ３０は、読み出し器がメモリに格納されているデータを読み出し器に送信することを、送信ＲＦ部４０に許可する。この場合、送信ＲＦ部４０は、送信アンテナパターンＴＸを介して、ＲＯＭ２０に格納されているデータを、読み取り器に送信する（Ｓ３０５）。
【００４６】
上記の構成によれば、ＩＣタグ装置１は、ディスアクティベートされた後、読み取り器にデータを送信しない（あるいは、データを消去する）。したがって、ユーザがＩＣタグ装置１を廃棄する際に、ＩＣタグ装置１のメモリに格納されているユーザ情報（例えば、ユーザの名前および電話番号）が第三者に漏洩するリスクを回避することができる。加えて、読み出し器が、使用済のＩＣタグ装置１から、データを読み出そうとして、時間を浪費することを防止することができる。
【００４７】
（３；選択肢の選択）
図１の（ａ）に示すＩＣタグ装置１の４つの端部領域５０Ａ〜５０Ｄおよびポート８０Ａ〜８０Ｄは、互いに異なる選択肢と対応していてもよい。この構成では、ユーザは、ＩＣタグ装置１から、いずれか１つの選択肢に対応する１つの端部領域５０Ａ〜５０Ｄを折る。これにより、ＩＣタグ装置１では、折られた端部領域５０Ａ〜５０Ｄに対応するポート８０（図１の（ａ）に示すポート８０Ａ〜８０Ｄのいずれか）がＯＮになる。
【００４８】
読み取り器が、ＩＣタグ装置１に格納されたデータを読み取る際、ＩＣタグ装置１のプロセッサ３０は、ポート８０のＯＮ／ＯＦＦ情報に基づいて、切り取られた選択肢に関する情報を、読み取り器に送信する。これにより、読み取り器は、ユーザが選択した選択肢に関する情報を得ることができる。
【００４９】
上記の構成によれば、ユーザの選択を、ユーザ自身が、ＩＣタグ装置１の状態に簡単に反映することができる。上記の構成は、例えば、ＩＣタグ装置１を、アンケート用紙または食券として使用する際に使用することができる。例えば、ＩＣタグ装置１は食券であり、ＩＣタグ装置１の４つの端部領域５０Ａ〜５０Ｄおよびポート８０Ａ〜８０Ｄは、それぞれ、互いに異なる食事メニューに対応していてもよい。この場合、ユーザは、１つの食事メニューに対応する１つの端部領域５０Ａ〜５０Ｄを折ることによって、ユーザの選択を、ＩＣタグ装置１の状態に反映させることができる。
【００５０】
〔実施形態２〕
本発明の他の実施形態について、図６に基づいて説明すれば、以下のとおりである。なお、説明の便宜上、前記実施形態にて説明した部材と同じ機能を有する部材については、同じ符号を付記し、その説明を省略する。
【００５１】
前記実施形態１では、導線パターンを断線させて、ポートのＯＮ／ＯＦＦを切り替えるために、ユーザが、ＩＣタグ装置の端部を折る構成を説明した。本実施形態２では、ＩＣタグ装置は紙製である。したがって、ユーザは、ＩＣタグ装置の一部の領域を千切ることによって、導線パターンを断線させることができる。断線した導線パターンは、ユーザの手では復元することはできない。すなわち、導線パターンが断線していない状態から断線した状態への変化は不可逆である。
【００５２】
（ＩＣタグ装置２の構成）
図６は、実施形態２に係るＩＣタグ装置２（ＩＣタグ装置）の概略図である。ＩＣタグ装置２は紙で形成されている。図６に示すように、ＩＣタグ装置２は、４本の導線パターン９０を有している。図６に示す４つの領域５０Ａ〜５０Ｄ（断線用領域）は、ＩＣタグ装置２の一部である。領域５０Ａ〜５０Ｄは、それぞれ、異なる導線パターン９０の一部と重なっている。
【００５３】
本実施形態２の構成では、ＩＣタグ装置２は紙で形成されているため、ユーザは、ＩＣタグ装置２の１つの領域５０Ａ〜５０Ｄを、手で千切ったり切り取ったりすることができる。これにより、１本の導線パターン９０が断線する。その結果、断線した導線パターン９０と接続されているポート８０のＯＮ／ＯＦＦが切り替わる。なお、ユーザが領域５０Ａ〜５０Ｄを手で千切り取り易いように、領域５０Ａ〜５０Ｄの周囲に沿って、孔、折れ目、切り込み、または溝が予め設けられていてもよい。
【００５４】
〔実施形態３〕
本発明の他の実施形態について、図７に基づいて説明すれば、以下のとおりである。なお、説明の便宜上、前記実施形態にて説明した部材と同じ機能を有する部材については、同じ符号を付記し、その説明を省略する。
【００５５】
前記実施形態１および２では、導線パターンを断線させるために、ユーザが、ＩＣタグ装置の一部分を除去する構成を説明した。本実施形態３では、ユーザは、ＩＣタグ装置上で露出している導電性インクを削ることによって、導線パターンを断線させる。断線した導線パターンは、ユーザの手では復元することはできない。すなわち、導線パターンが断線していない状態から断線した状態への変化は不可逆である。
【００５６】
（ＩＣタグ装置３の構成）
図７は、実施形態３に係るＩＣタグ装置３（ＩＣタグ装置）の概略図である。図７に示すように、ＩＣタグ装置３では、ＩＣチップ１００のポート８０（図２参照）から延伸する１本の導線パターン９０の一部分７０が、導電性インクで形成されている。一部分７０は、インピーダンスの高い素材、例えば、カーボンまたは銀ペーストで形成されていてよい。一部分７０は、ＩＣタグ装置３上で露出している。なお、図７では、ＩＣタグ装置３が備えた送信アンテナパターンＴＸおよび受信アンテナパターンＲＸの図示を省略している。
【００５７】
本実施形態３の構成では、ユーザは、導線パターン９０の一部分７０をコイン等の道具で削る。これにより、導線パターン９０は断線する。その結果、断線した導線パターン９０と接続されているポート８０のＯＮ／ＯＦＦが切り替わる。なお、本実施形態３の構成でも、前記実施形態１および２と同様に、ユーザは、一部分７０が形成されているＩＣタグ装置３の領域５０（断線用領域）を手で千切ったり切り取ったりすることによって、導線パターン９０を断線させることもできる。
【００５８】
〔実施形態４〕
本発明の他の実施形態について、図８に基づいて説明すれば、以下のとおりである。なお、説明の便宜上、前記実施形態にて説明した部材と同じ機能を有する部材については、同じ符号を付記し、その説明を省略する。
【００５９】
本実施形態４では、ユーザは、導線パターンを含むＩＣタグ装置の一部をパンチングすることによって、導線パターンを断線させる。断線した導線パターンは、ユーザの手では復元することはできない。すなわち、導線パターンが断線していない状態から断線した状態への変化は不可逆である。
【００６０】
（ＩＣタグ装置４の構成）
図８は、実施形態４に係るＩＣタグ装置４（ＩＣタグ装置）の概略図である。図８に示すように、ＩＣタグ装置４は、３本の導線パターン９０を有している。図８に示す領域５０Ａ〜５０Ｃ（断線用領域）は、ＩＣタグ装置４の一部である。領域５０Ａ〜５０Ｃは、それぞれ、異なる導線パターン９０の一部と重なっている。なお、図８では、ＩＣタグ装置４が備えた送信アンテナパターンＴＸおよび受信アンテナパターンＲＸの図示を省略している。
【００６１】
本実施形態４の構成では、ユーザは、パンチャーを用いて、ＩＣタグ装置４の１つの領域５０Ａ〜５０Ｃを抜き取る。これにより、１本の導線パターン９０が断線する。その結果、断線した導線パターン９０と接続されているポート８０のＯＮ／ＯＦＦが切り替わる。
【００６２】
なお、ＩＣタグ装置４には、領域５０Ａ〜５０Ｃの位置を示す図形（円またはバツなど）、絵、または符号（番号、記号、または文字など）が描かれていることが好ましい。この場合、ユーザは、領域５０Ａ〜５０Ｃの位置を的確に特定することができる。
【００６３】
〔実施形態５〕
本発明の他の実施形態について、図９に基づいて説明すれば、以下のとおりである。なお、説明の便宜上、前記実施形態にて説明した部材と同じ機能を有する部材については、同じ符号を付記し、その説明を省略する。
【００６４】
前記実施形態４では、ユーザは、パンチャーを用いて、導線パターンを含むＩＣタグ装置の領域を抜き取った。本実施形態５では、ユーザが、導線パターンを含むＩＣタグ装置の領域を手で抜き取る。これにより、導線パターンが断線する。断線した導線パターンは、ユーザの手では復元することはできない。すなわち、導線パターンが断線していない状態から断線した状態への変化は不可逆である。
【００６５】
（ＩＣタグ装置５の構成）
図９は、実施形態５に係るＩＣタグ装置５（ＩＣタグ装置）の概略図である。図９に示すように、ＩＣタグ装置５は、８本の導線パターン９０を有している。領域５０Ａ〜５０Ｈ（断線用領域）は、それぞれ、異なる導線パターン９０の一部を含む。
【００６６】
図９に示すように、領域５０Ａ〜５０Ｈの周囲には、それぞれ、予め貫通溝２５０が設けられている。そして、領域５０Ａ〜５０Ｈは、貫通溝２５０の外側の領域と、２つの棒状のパーツ３５０によって接続されている。なお、２つの棒状のパーツ３５０のうちの１本は、領域５０Ａ〜５０Ｈの長手方向の対称軸（二点破線）に沿って配置されており、もう一本は、領域５０Ａ〜５０Ｈの上記対称軸からずらした位置に配置されていることが好ましい。この構成では、ユーザが領域５０Ａ〜５０Ｈに力を加えた際に、領域５０Ａ〜５０Ｈが２つの棒状のパーツ３５０から取れやすい。
【００６７】
また、前記実施形態１に係るＩＣタグ装置１では、グラウンドＧＮＤが領域５０Ａ〜５０Ｄの内側にある（図１の（ａ）参照）。一方、本実施形態５に係るＩＣタグ装置５では、図９に示すように、グラウンドＧＮＤが領域５０Ａ〜５０Ｈの外側にある。そのため、導線パターン９０は、ＩＣチップ１００から、領域５０Ａ〜５０Ｈを通って、グラウンドＧＮＤまで、直線状に延伸している。
【００６８】
本実施形態５の構成では、ユーザは、パンチャーなどの道具を使用せずに、ＩＣタグ装置５の１つの領域５０Ａ〜５０Ｈを、手で抜き取ることができる。ユーザが１つの領域５０Ａ〜５０Ｈを抜き取ることにより、１本の導線パターン９０が、ポート８０Ａ〜８０ＨのいずれかとグラウンドＧＮＤとの間で断線する。その結果、断線した導線パターン９０と接続されているポート８０のＯＮ／ＯＦＦが切り替わる。
【００６９】
なお、上記各実施形態では、断線用領域にある導体９０の一部が除去される方法で非導通状態としていたが、本発明はこれに限定されることはない。例えば、当初接触状態にあることで導電状態を示す導体９０に張力が加えられることで当該導体９０を離間させて非導通状態となる構成としてもよい。あるいは、導体９０が非導電性物体と導電性物体とが混在して形成されており、当該導電性物体が導体９０内で接触状態にあることで導電状態を示し、これに張力が加えられることで当該導電性物体が離間して非導通状態となる構成としてもよい。あるいは、導電性物体が溶出することで非導通状態となる構成などでもよい。このように、導体９０を断線用領域内で非導通状態とするためには、種々の方法が適用可能である。
【００７０】
〔まとめ〕
本発明の態様１に係るＩＣタグ装置（１、２、３、４、５）は、ＩＣチップ（１００）を備えたＩＣタグ装置であって、上記ＩＣチップから、ユーザが断線させるための断線用領域（領域５０（５０Ａ〜５０Ｈ））を通って延伸する１つ以上の導線パターン（９０）が形成されており、上記導線パターンには、当該ＩＣタグ装置の特定の状態が予め対応付けられており、上記断線用領域上で上記導線パターンが非導通状態となることによって、該断線用領域を通る上記導線パターンが断線した場合、当該ＩＣタグ装置は、断線した導線パターンに対応する１つの状態になる。
【００７１】
上記の構成によれば、導線パターンが断線した場合、ＩＣタグ装置は、断線した導線パターンに対応する状態に変化する。したがって、ユーザは、導線パターンを意図的に断線させることによって、ＩＣタグ装置の状態を簡単に変化させることができる。
【００７２】
本発明の態様２に係るＩＣタグ装置では、上記態様１において、上記導線パターンが断線した場合、当該ＩＣタグ装置は、当該ＩＣタグ装置からのデータの読み取りを許可する有効状態、または、当該ＩＣタグ装置からのデータの読み取りを許可しない無効状態になってもよい。
【００７３】
上記の構成によれば、ユーザは、導線パターンを意図的に断線させることによって、ＩＣタグ装置を有効状態または無効状態に簡単に変化させることができる。
【００７４】
本発明の態様３に係るＩＣタグ装置では、上記態様１において、上記導線パターンが複数あり、複数の上記導線パターンのうちの１つが断線した場合、どの導線パターンが断線しているかに応じて、当該ＩＣタグ装置は、異なる状態になってもよい。
【００７５】
上記の構成によれば、ユーザは、複数の導線パターンの１つを選択的に断線させることによって、ＩＣタグ装置を所望の状態に変化させることができる。
【００７６】
本発明の態様４に係るＩＣタグ装置では、上記態様１〜３のいずれかにおいて、上記断線用領域が除去されることによって、上記導線パターンは断線してもよい。
【００７７】
上記の構成によれば、ユーザは、ＩＣタグ装置の一部領域を除去することによって、導線パターンを意図的に断線させて、ＩＣタグ装置の状態を簡単に変化させることができる。なお、ユーザがＩＣタグ装置の一部領域を手で除去しやすいように、ＩＣタグ装置には、折れ目、切り込み、または溝などが設けられていてもよい。あるいは、ＩＣタグ装置は、紙などの弱い素材で形成されていてもよい。
【００７８】
本発明の態様５に係るＩＣタグ装置では、上記態様１〜４のいずれかにおいて、上記導線パターンの少なくとも一部は、導電性インクで形成されており、上記導電性インクが上記断線用領域内で削られることによって、上記導線パターンは断線してもよい。
【００７９】
上記の構成によれば、ユーザは、導電性インクを削ることによって、導線パターンを意図的に断線させて、ＩＣタグ装置の状態を簡単に変化させることができる。
【００８０】
本発明の態様６に係るＩＣタグ装置は、上記態様１〜５のいずれかにおいて、当該ＩＣタグ装置は、上記導線パターンに入力する断線監視用信号の変化に基づいて、上記導線パターンが断線していないかを監視してもよい。
【００８１】
上記の構成によれば、断線監視用信号の（例えば電圧または電流についての）変化に基づいて、導線パターンが断線したことを検知することができる。
【００８２】
本発明の態様７に係るＩＣタグ装置は、上記態様１〜６のいずれかにおいて、データの送受信用のアンテナ（送信アンテナパタ−ンＲＸ，受信アンテナパターンＴＸ）を備えており、上記断線用領域は、上記アンテナが設けられている領域を除いた位置に設けられていてもよい。上記の構成によれば、ＩＣタグ装置は、読み取り器との間で、データを送受信することができる。
【００８３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００８４】
１、２、３、４、５  ＩＣタグ装置
５０（５０Ａ〜５０Ｈ）  領域（断線用領域）
９０  導線パターン
１００  ＩＣチップ
ＲＸ  送信アンテナパターン（アンテナ）
ＴＸ  受信アンテナパターン（アンテナ）
【図１】
2018197994.tif 000003
【図２】
2018197994.tif 000004
【図３】
2018197994.tif 000005
【図４】
2018197994.tif 000006
【図５】
2018197994.tif 000007
【図６】
2018197994.tif 000008
【図７】
2018197994.tif 000009
【図８】
2018197994.tif 000010
【図９】
2018197994.tif 000011